(57)【特許請求の範囲】
【請求項１】
患者体位保持板の傍に、患者に方位づけられる照準放射光線のための光プロジェクタが配置されており、該光プロジェクタが、レントゲン線放射器と前記患者体位保持板の下に支承された撮影カセットとを結合する結合線の旋回支点として放射光軸を中心として前記のレントゲン線放射器と撮影カセットを互いに逆向きにシフトさせる装置と結合されている形式の、レントゲン装置用の断層高さ表示器において、レントゲン線放射器（６）と撮影カセット（３）が、位置センサを含む制御装置によって光プロジェクタ（１５）の高さ位置信号を考慮して結合されている別個の駆動装置を介してシフト可能であり、前記光プロジェクタ（１５）がそのシフト装置（１３，１４，１６）及び高さ位置信号発生器と共に構成ユニットとして、患者体位保持板（２）に着脱可能に固定され、かつ光プロジェクタ（１５）がレーザー源を有しており、該レーザー源の放射光線（１７）が水平方向に拡開されて１本のラインを形成していることを特徴とする、レントゲン装置用の断層高さ表示器。
【請求項２】
光プロジェクタ（１５）が高さ調整可能にケーシング（１０）内に配置されており、該ケーシングの、後方へ傾斜した前壁（１２）が、照準放射光線によって患者の背面側を観察するためのミラーとして構成されている、請求項１記載の断層高さ表示器。
【請求項３】
前壁（１２）が、部分透過性ミラーとして構成されている、請求項２記載の断層高さ表示器。
【請求項４】
前壁（１２）が、放射光線（１７）のための鉛直な縦方向出口スリット（１８）を有している、請求項２記載の断層高さ表示器。
【請求項５】
光プロジェクタ（１５）が、駆動装置によってガイド部材（１３）に沿って移動調整可能なキャリッジ（１４）上に固定されている、請求項１から４までのいずれか１項記載の断層高さ表示器。
【請求項６】
駆動装置が歯付きベルト式駆動装置（１６）から成っている、請求項５記載の断層高さ表示器。
【請求項７】
ケーシング（１０）が、患者体位保持板（２）のサイド成形レール（９）に固定するためのクランプ装置（７，８）を備えている、請求項１から６までのいずれか１項記載の断層高さ表示器。
【請求項８】
クランプ装置（７，８）の上側でケーシング（１０）には載置レール（１９）が配置されている、請求項７記載の断層高さ表示器。
【発明の詳細な説明】
【０００１】
【発明の属する技術分野】
本発明は、患者体位保持板の傍に、患者に方位づけられる照準放射光線のための光プロジェクタが配置されており、該光プロジェクタが、レントゲン線放射器と前記患者体位保持板の下に支承された撮影カセットとを結合する結合線の旋回支点として放射光軸を中心として前記のレントゲン線放射器と撮影カセットを互いに逆向きにシフトさせる装置と結合されている形式の、レントゲン装置用の断層高さ表示器に関する。
【０００２】
【従来の技術】
前記形式の断層高さ表示器は、各断層撮影時に調整される高さを正確に検出して表示するため、ひいては該断層撮影により検知すべき患者個体の所定断層に整合するように精密に照準するために役立てられる。該断層高さ表示器の従来の実施形態では、レントゲン線放射器と撮影カセットは、いわゆる断層ロッドによって結合されており、該断層ロッドの旋回支点はその高さを調節できるように、患者体位保持板（患者臥床板）の傍に不動に固定された断層高さ表示器によって調整可能に構成されていた。調整された断層高さに応じて、断層ロッドの旋回支点は、要するに機械的にシフトされる訳であり、かつ、患者に向けて出射される放射光線の光軸にも相当する旋回軸線を通る水平平面は、患者の人体内において結像すべき検査層平面を生ぜしめる。
【０００３】
このようにレントゲン線放射器を撮影カセットと機械的に結合したことによって惹起される欠点は、この機械的結合によって患者体位保持板の一方の縦辺側が操作要員もしくは検査医に対して閉塞されており、要するに原則として反対の縦辺側からしか検査を行うことができないことである。しかし大抵の場合、検査時に反対側でも助手が同時に働くことができれば、極めて操作の助けになる。確かに断層ロッドは取り外せるので、「通常の」レントゲン撮影時には断層ロッドそのものが邪魔になることはない。しかしながら患者体位保持板の支持台架には断層高さ表示器が依然として固定されている以上、この断層高さ表示器が、これを固着している患者体位保持板側での操作要員の作業を邪魔する障害物になることに変わりはない。
【０００４】
【発明が解決しようとする課題】
そこで本発明の課題は、冒頭で述べた形式の断層高さ表示器を改良して、断層撮影が生じない場合には常に患者体位保持板にあらゆる側から検査医が全く自由にアクセスできるように構成することである。
【０００５】
【課題を解決するための手段】
前記課題を解決するための本発明の構成手段は、レントゲン線放射器と撮影カセットが、位置センサを含む制御装置によって光プロジェクタの高さ位置信号を考慮して結合されている別個の駆動装置を介してシフト可能であり、かつ前記光プロジェクタがそのシフト装置及び高さ位置信号発生器と共に構成ユニットとして、患者体位保持板に着脱可能に固定される点にある。
【０００６】
【作用】
本発明のようにレントゲン線放射器と撮影カセットとを電子的に結合して逆向きに制御することによって、従来必要とした断層ロッドを介しての機械的結合の必要がなくなる。これによって光プロジェクタを、患者体位保持板に着脱可能に装着できる構成ユニットとして構成することが可能になり、しかも該構成ユニットは断層撮影時にだけ患者体位保持板に固定され、断層撮影以外の時にはワンタッチで取り外すことができるので、レントゲン装置の異なった使用態様の場合には全く邪魔に成ることはない。
【０００７】
【発明の実施の形態】
断層高さ表示器から患者人体に向けて出射される光学的な照準光線を、出射側とは反対側に位置する通常の操作側から特に簡便に把捉してコントロールできるようにするために、かつその際特に、触診された患者異常部位（例えば肝臓硬化部位など）に断層高さを調整できるようにするために、本発明の実施形態では、光プロジェクタは高さ調整可能にケーシング内に配置されており、該ケーシングの、殊に有利には後方へ傾斜した前壁が、照準放射光線によって患者の背面側を観察するためのミラーとして構成されている。要するに患者体位保持板の前方側に立っている検査医は一方の側で触診し、次いで、発見された検査すべき指頭高さ位置に照準放射光線を同じく一方の側で調整することができる。それというのは検査医は、照準放射光線及び患者人体への照準放射光線の照射点及び検査医の指頭位置を共にミラーを介して一方の側から観察することができるからである。
【０００８】
その場合前壁は選択的に、部分透過性ミラーとして構成されていてもよく、或いは放射光線のための鉛直な縦方向出口スリットを有する鏡面板として構成されていてもよい。この場合、光プロジェクタはレーザー源を有しているのが殊更有利である。該レーザー源の放射光線は水平に拡開して１本のラインを形成することができるので、患者人体上に投影された１本のラインを手掛かりにして検査医は、観察層平面の正確な経過（例えば患者体位保持板が傾斜している場合に重要）を規定しかつコントロールすることができる。
【０００９】
光プロジェクタは、駆動装置によってガイド部材に沿って移動調整可能なキャリッジ上に極めて単純な形式で固定されており、しかも駆動装置は例えば歯付きベルト式駆動装置から成ることができる。キャリッジの駆動モータ又は歯付きベルト式駆動装置に設けた信号発生器によって高さ位置信号が発生され、該高さ位置信号は制御装置に供給され、レントゲン線放射器と撮影カセットの駆動装置を結合して制御する。このように電子的に結合されて高さ調整可能な旋回軸線を中心とする逆向きのシフト、要するに観察層平面内に位置する軸線を中心とする逆向きのシフトが、断層ロッドを介して従来行われた著しく経費がかかり作業を妨害する機械的な結合の場合と同様に、本発明では電子的に得ることができる。
【００１０】
断層高さ表示器を迅速に組付けかつ組外せるようにするために本発明の有利な実施形態では、ケーシングが、患者体位保持板のサイド成形レールに固定するためのクランプ装置を備えており、しかもクランプ装置の上側でケーシングには載置レールが配置されているのが殊に有利である。
【００１１】
【実施例】
次に図面に基づいて本発明の実施例を詳説する。
【００１２】
図１に示したように剛性の支持台架１上には、縦軸線方向にシフト可能かつ場合によっては傾動可能な患者体位保持板（患者臥床板）２が配置されている。患者体位保持板２の下位では、撮影カセット３が、詳細な図示は省いたガイドに沿って患者体位保持板２の縦軸線に対して平行にシフト可能である。しかも該シフトは、その都度調整された断層高さ４内に位置している旋回支点５を中心としてレントゲン線放射器６のシフト方向とは逆方向に行われる。その場合、断層高さ値ｈは調整可能であり、かつ、レントゲン機器が目下照準されている断層高さを検査医が正確に確認できるように、照準放射光線によって患者の体に投影可能でなければならない。
【００１３】
撮影カセット３をレントゲン線放射器６と機械的に固定結合している従来技術に代えて本発明では、撮影カセット３とレントゲン線放射器６とを別個の駆動装置によってシフトできるようにした構成手段が採用されており、前記の別個の両駆動装置は制御装置を介して電子的に互いに結合されており、従って従来技術の場合と同様に、設定可能な旋回支点５を中心として、つまり設定された断層高さ４に位置する１軸線を中心として逆方向のシフトが行われる。相応の高さ信号は、図２及び図３に図示したような断層高さ表示器１１によって供給される。当該断層高さ表示器は、例えば手動輪８を介して作動可能なクランプ装置７によって、図２及び図３では図示を省いた患者体位保持板２のサイド成形レール９に、必要な場合にだけ締結可能な構成部分である。断層高さ表示器１１のケーシング１０内には、前壁１２の傾斜度に相応して傾斜したガイド部材１３がキャリッジ１４を案内するために配置されており、該キャリッジに載って光プロジェクタ１５（殊に有利にはレーザー）が高さ調整可能に移動され、しかもこの移動は、歯付き駆動ベルト１６から成る駆動装置によって行われる。図示を省いた位置信号発生器によって、レーザーの高さ及び、該レーザーから出射される放射光１７の高さがその都度検知され、かつ計算すべき制御量として、撮影カセット３及びレントゲン線放射器６の駆動装置のための制御装置に供給される。
【００１４】
前壁１２は、部分透過性のミラーとして構成することができ、或いは、図２に破線で示唆したように放射光線１７用の縦方向出口スリット１８を有し、該縦方向出口スリット以外は不透過性ミラーとして構成されていてもよい。この鏡面構成に基づいて、しかも前壁１２の緩傾斜によって更に助成されて、次のような可能性が得られる。すなわち、検査医が触診によって、レントゲン撮影すべき断層高さを検知しようとする場合、検査医が通常立っている患者体位保持板の対向前面側から、患者の背面側を、患者の身体に照射される放射光１７でもって検査医の手の位置と同様に観察することが可能になる。図２に示したようにレーザーは拡開装置を有しており、従って単一光線が点として患者の人体に照射するのではなくて、人体の断層平面の一層良好な調整を可能にする照準ラインが患者人体に照射することになる。
【００１５】
クランプ装置７，８と、該クランプ装置の上位に配置されていて患者体位保持板２のサイド成形レール９の上に載せるための載置レール１９とを装備した本発明の断層高さ表示器１１は、必要に応じて事実上ワンタッチで患者体位保持板に固定でき、かつ不使用時には同じく容易に再び取り外すことができる。取り外した場合、患者体位保持板又は支持台架には妨害部分が決して残留することはないので、この不使用時には断層撮影のために患者体位保持板にあらゆる側から自由にアクセス可能である。
【００１６】
本発明は、図示の実施例のみに限定されるものではない。殊に有利にはレーザーとして構成された光線プロジェクタの高さ調整は勿論また別の方式で行うこともできる。本発明にとって決定的な点は、取り外し可能な断層高さ表示器によって高さ位置信号を準備形成すること及び、別個の駆動装置を結合して断層高さ信号を一緒に処理する制御装置と相俟って前記の別個の駆動装置によってレントゲン線放射器と撮影カセットとを逆向きに制御することにある。
【図面の簡単な説明】
【図１】レントゲン装置による断層撮影時におけるレントゲン線放射器及び撮影カセットの調整とシフトを示す概略図である。
【図２】前壁を取り外した状態で示した着脱可能に患者体位保持板に固定された本発明の断層高さ表示器の側面図である。
【図３】患者体位保持板の縦軸線に対して直角な横方向に断面した断層高さ表示器の断面図である。
【符号の説明】
１    支持台架、  ２    患者体位保持板、  ３    撮影カセット、  ４    断層高さ、  ５    旋回支点、  ６    レントゲン線放射器、  ７    クランプ装置、  ８    手動輪、  ９    サイド成形レール、  １０    ケーシング、  １１    断層高さ表示器、  １２    前壁、  １３    ガイド部材、  １４    キャリッジ、  １５    光プロジェクタ殊にレーザー、  １６    歯付き駆動ベルト、  １７    放射光線、  １８    縦方向出口スリット、  １９    載置レール、  ｈ    断層高さ値
【図１】
0004099256.tif 000002
【図２】
0004099256.tif 000003
【図３】
0004099256.tif 000004